【手続補正書】
【提出日】平成18年12月19日(2006.12.19)
【手続補正１】
【補正対象書類名】特許請求の範囲
【補正対象項目名】全文
【補正方法】変更
【補正の内容】
【特許請求の範囲】
【請求項１】
ウエストに沿って周回するベルト部と、左右の前身頃及び後身頃とからなり、後身頃相互は股間部からベルト部に向けて延びる中央縫着線で縫着し、前身頃及び後身頃は股間部から下方へ延びる内脇縫着線とベルト部から下方へ延びる外脇縫着線とでそれぞれ縫着し、前身頃及び後身頃はそれぞれベルト部に周回縫着線で縫着したジーンズにおいて、伸縮性を有する主裏地及び補強裏地からなる二重構造のストレッチ裏地を各後身頃の内側に配してなり、主裏地は太腿からヒップトップラインまでの範囲でヒップに下方から宛てがわれる大きさ又は形状で、補強裏地は太腿の付け根からヒップアンダーラインまでの範囲でヒップに下方から宛てがわれる大きさ又は形状であることことを特徴とするジーンズ。
【請求項２】
ストレッチ裏地は、周回縫着線と交差する中央縫着線上端から周回縫着線と交差する外脇縫着線上端へヒップトップラインに倣う深いＵ字状の主裏地上縁と、内脇縫着線から外脇縫着線へ延びる直線状の主裏地下縁と、中央縫着線から内脇縫着線に沿った主裏地内縁と、そして外脇縫着線に沿った主裏地外縁とに囲まれた主裏地と、中央縫着線から外脇縫着線へヒップアンダーラインに倣う直線状の補強裏地上縁と、内脇縫着線から外脇縫着線にわたる直線状の補強裏地下縁と、中央縫着線から内脇縫着線に沿った補強裏地内縁と、そして外脇縫着線に沿った補強裏地外縁とに囲まれた補強裏地とからなり、主裏地及び補強裏地は、主裏地上縁、主裏地下縁、補強裏地上縁及び補強裏地下縁をそれぞれ自由状態とし、主裏地内縁及び補強裏地内縁を合わせて中央縫着線から内脇縫着線で後身頃に縫着し、主裏地外縁及び補強裏地外縁を合わせて外脇縫着線で縫着する請求項１記載のジーンズ。
【請求項３】
ストレッチ裏地は、相対的に伸縮性の低い主裏地と、相対的に伸縮性の高い補強裏地とからなる二重構造である請求項１又は２いずれか記載のジーンズ。
【請求項４】
主裏地は、上下方向に発揮される伸縮性が左右方向に発揮される伸縮性より相対的に大きい請求項１〜３いずれか記載のジーンズ。
【請求項５】
主裏地は、上下方向かつ中央縫着線に向けて傾いた方向に発揮される伸縮性が左右方向に発揮される伸縮性より相対的に大きい請求項１〜３いずれか記載のジーンズ。
【請求項６】
主裏地は、主裏地内縁及び主裏地外縁の幅を、各後身頃の中央縫着線及び脇縫着線の幅より短くしてなり、主裏地内縁は中央縫着線から内脇縫着線で、主裏地外縁は外脇縫着線でそれぞれ後身頃に縫着することにより幅方向に伸長し、緊張状態にして後身頃の内側に配した請求項１〜３いずれか記載のジーンズ。
【請求項７】
補強裏地は、上下方向に発揮される伸縮性が左右方向に発揮される伸縮性より相対的に大きい請求項１〜３いずれか記載のジーンズ。
【請求項８】
補強裏地は、上下方向かつ中央縫着線に向けて傾いた方向に発揮される伸縮性が左右方向に発揮される伸縮性より相対的に大きい請求項１〜３いずれか記載のジーンズ。
【請求項９】
補強裏地は、補強裏地内縁及び補強裏地外縁の幅を、各後身頃の中央縫着線及び脇縫着線の幅より短くしてなり、補強裏地内縁は中央縫着線から内脇縫着線で、補強裏地外縁は外脇縫着線でそれぞれ後身頃に縫着することにより幅方向に伸長し、緊張状態にして後身頃の内側に配した請求項１〜３いずれか記載のジーンズ。
【手続補正２】
【補正対象書類名】明細書
【補正対象項目名】０００８
【補正方法】変更
【補正の内容】
【０００８】
具体的なストレッチ裏地は、周回縫着線と交差する中央縫着線上端から周回縫着線と交差する外脇縫着線上端へヒップトップラインに倣う深いＵ字状の主裏地上縁と、内脇縫着線から外脇縫着線へ延びる直線状の主裏地下縁と、中央縫着線から内脇縫着線に沿った主裏地内縁と、そして外脇縫着線に沿った主裏地外縁とに囲まれた主裏地と、中央縫着線から外脇縫着線へヒップトップラインに倣う直線状の補強裏地上縁と、内脇縫着線から外脇縫着線にわたる直線状の補強裏地下縁と、中央縫着線から内脇縫着線に沿った補強裏地内縁と、そして外脇縫着線に沿った補強裏地外縁とに囲まれた補強裏地とからなり、主裏地及び補強裏地は、主裏地上縁、主裏地下縁、補強裏地上縁及び補強裏地下縁をそれぞれ自由状態とし、主裏地内縁及び補強裏地内縁を合わせて中央縫着線から内脇縫着線で後身頃に縫着し、主裏地外縁及び補強裏地外縁を合わせて外脇縫着線で縫着して構成する。
【手続補正３】
【補正対象書類名】明細書
【補正対象項目名】００１０
【補正方法】変更
【補正の内容】
【００１０】
具体的な主裏地は、上下方向に発揮される伸縮性が左右方向に発揮される伸縮性より相対的に大きくするとよい。より好ましい主裏地は、上下方向かつ中央縫着線に向けて傾いた方向に発揮される伸縮性が左右方向に発揮される伸縮性より相対的に大きくするとよい。また、主裏地の伸縮性がよりよく発揮されるため、主裏地は主裏地内縁及び主裏地外縁の幅を、各後身頃の中央縫着線及び脇縫着線の幅より短くし、主裏地内縁は中央縫着線から内脇縫着線で、主裏地外縁は外脇縫着線でそれぞれ後身頃に縫着することにより幅方向に伸長し、緊張状態にして後身頃の内側に配するとよい。
【手続補正４】
【補正対象書類名】明細書
【補正対象項目名】００１１
【補正方法】変更
【補正の内容】
【００１１】
同様に、具体的な補強裏地は、上下方向に発揮される伸縮性が左右方向に発揮される伸縮性より相対的に大きくするとよく、好ましい補強裏地は、上下方向かつ中央縫着線に向けて傾いた方向に発揮される伸縮性が左右方向に発揮される伸縮性より相対的に大きくするとよい。また、補強裏地の伸縮性がよりよく発揮されるため、補強裏地は補強裏地内縁及び補強裏地外縁の幅を、各後身頃の中央縫着線及び脇縫着線の幅より短くしてなり、補強裏地内縁は中央縫着線から内脇縫着線で、補強裏地外縁は外脇縫着線でそれぞれ後身頃に縫着することにより幅方向に伸長し、緊張状態にして後身頃の内側に配するとよい。
【手続補正５】
【補正対象書類名】明細書
【補正対象項目名】００１５
【補正方法】変更
【補正の内容】
【００１５】
本例のジーンズ１は、図３に見られるように、後身頃11,11相互は股間部からベルト部13に向けて延びる中央縫着線142で縫着し、前身頃12及び後身頃11は股間部から下方へ延びる内脇縫着線144とベルト部13から下方へ延びる外脇縫着線143とでそれぞれ縫着し、前身頃12及び後身頃11はそれぞれベルト部13に周回縫着線141で縫着して構成され、図１に見られるように、左右の各後身頃11のヒップ下方から宛てがわれるストレッチ裏地２をそれぞれ配している。本例のストレッチ裏地２は、図２に見られるように、主裏地21及び補強裏地22を重ね合わせた二重構造で、主裏地21及び補強裏地22共に、主として上下方向かつ中央縫着線142に向けて傾いた方向に伸縮性（図１及び図２中斜め実線参照）を有する生地から裁断している。
【手続補正６】
【補正対象書類名】明細書
【補正対象項目名】００１６
【補正方法】変更
【補正の内容】
【００１６】
主裏地21は、ベルト部13の周回縫着線141と交差する中央縫着線142上端から周回縫着線141と交差する外脇縫着線143上端へヒップトップラインに倣う深いＵ字状の主裏地上縁211と、内脇縫着線144から外脇縫着線143へ延びる直線状の主裏地下縁212と、中央縫着線142から内脇縫着線144に沿った主裏地内縁213と、そして外脇縫着線143に沿った主裏地外縁214とに囲まれた外形状である。また、本例の主裏地21は、主裏地下縁212が太腿にかかる付近に位置しており、太腿を締付けてシェイプアップする働きも発揮する（図３参照）。
【手続補正７】
【補正対象書類名】明細書
【補正対象項目名】００１７
【補正方法】変更
【補正の内容】
【００１７】
補強裏地22は、中央縫着線142から外脇縫着線143へヒップトップラインに倣う直線状の補強裏地上縁221と、内脇縫着線144から外脇縫着線143にわたる直線状の補強裏地下縁222と、中央縫着線142から内脇縫着線144に沿った補強裏地内縁223と、そして外脇縫着線143に沿った補強裏地外縁224とに囲まれた外形状である。また、本例の補強裏地22は、着用者によって異なるが、補強裏地下縁222が太腿の付け根と一致又は近接する位置にあり、特に太腿の付け根をクッキリさせる働きも発揮する（図３参照）。
【手続補正８】
【補正対象書類名】図面
【補正対象項目名】図２
【補正方法】変更
【補正の内容】
【図２】
2006188798.tif 000001